(57)【要約】【課題】環境と安全・安心の機能性を充分考慮した医療廃棄物容器を提供する。【解決手段】  加工板紙材で容器本体と蓋体を形成することで、焼却処理する際、高温で処理しなくても、環境に良くない物質を抑止でき、焼却炉の維持・管理にも最適で、環境を配慮した廃棄物処理が可能である。容器本体の突出部と蓋体の突出部を噛み合わせることで、蓋が外れにくく容易に開かない構造で密閉性が保たれるのと、蓋体天面部４枠に紙材を貼り合わせることで、段済みしたときの横転・落下が防止できる、もし横転・落下した場合でも、蓋が外れにくい構造で、廃棄物の飛散など防止できる構造です。空の容器本体を保管するときは取り出しやすくするため容器本体の底面の受け皿角部に突起を設け取り出しやすい機能を備えた医療廃棄物容器である。【選択図】図２
2010132450.tif 000002
【特許請求の範囲】
【請求項１】
加工板紙材により形成された医療廃棄物容器で、容器本体と蓋体とで構成され、容器本体を形成する際、４側面上部余白部分の、のりしろ４側面を外側に折り曲げ、上側面の中心部を除いた左右２箇所に切込みを入れ、折り曲げたのりしろを左右２箇所に差し込み両辺を固定して、上部側面中心部は加工板紙材折り曲げの反発を利用して下向きの突出部分を設け、蓋体は４側面内側に切り込みを入れ加工紙板材の反発を利用し上向きの突出部分を作り容器本体の突出部分と蓋体の突出部分が噛み合わさる構造であり、蓋体の天面枠体４箇所を角に沿って側片に容器本体底面の長さに合うよう紙材を貼り高くし、容器本体の内側底面に受け皿の形状を取り付け、受け皿の４角面の余分なのりしろを張り合わせて容器本体の４角部の空間に突起形が飛び出した状態にする事を特徴とした医療廃棄物容器。
【発明の詳細な説明】
【技術分野】
【０００１】  本発明は、感染性廃棄物を適正に収容・処理する、医療廃棄物容器に関する。
【背景技術】
【０００２】  感染性廃棄物は、医療機関より排出される使用済みの注射器、注射針、血液の付着したガーゼ及び、手術後の着衣、器材などでこれらの感染性廃棄物を医療機関などで設置している感染性廃棄物容器に収容されており、容器の素材としては、プラスチック製が多く廃棄物が収容された容器のまま処理場で焼却処理される。
【発明の開示】
【発明が解決しようとする課題】
【０００３】  プラスチック製の容器は焼却処理がされる際、有害物質の発生を基準以下にする高温処理が必要とされ、焼却炉の損傷や環境に与える影響が懸念される。環境に配慮した、感染性廃棄物容器の機能を十分に有する容器が望まれている。
本発明は、環境と機能や形状を有する医療廃棄物容器を提供する事を目的とする。
【課題を解決するための手段】
【０００４】  加工板紙材により形成された医療廃棄物容器で、容器本体と蓋体が分離された構造で、容器本体を形成する際、上部余白部分の、のりしろ４側面を折り曲げ蓋体を閉めた場合に外れない様に噛み合せ部分を作る仕様にし、のりしろを折り曲げたときに組み入れる切り口を側面の両辺２箇所に組み合わせ口を作り組み入れておき側面中心部は折り曲げ状態なので、加工紙板材の反発する力で突出部分ができ、蓋体の４側面内側に切り込みを入れ加工紙板材の反発を利用し突出部分を作り容器本体の突出部分と蓋体の突出部分が噛み合わさりロックが掛かる状態で蓋が開かなく外れにくい構造であり、蓋体の上面角４箇所を角に沿って側片に容器本体底面の長さに合うよう紙材を貼り高くし段済みした場合に、容器の横転・落下の事故を防止する機能であり、容器本体の内側底面に水液が浸透しにくい受け皿の形状を取り付け、受け皿の４角面の余分なのりしろを張り合わせて容器本体の空間に突起形が飛び出る状態にし、容器本体を積み重ねて保管や配送する際、容器底面が突起に当たり抜く場合、容易に取り出せる構造になっており医療機関などで医療廃棄物容器の設置は、専用足踏みスタンドを使用することで廃棄物を投入する度に足踏みで蓋を開閉するので蓋に直接手を触れないで廃棄物が投入できることを特徴とした医療廃棄物容器。
【発明の効果】
【０００５】  医療廃棄物容器の素材を加工板紙材にすることで、必要以上の高温処理で焼却することがなく、環境に影響を及ぼす物質の生成を防ぐことができ、容器本体と蓋体を分け、足踏みスタンドの対応で蓋の開閉が容易にでき、満杯になった容器は一度蓋をすることでロックが掛かり安全性や密閉性も保たれ、段重ねした場合でも蓋体の転倒や落下防止の機能で保管した時も安全であり又、容器本体の受け皿の構造で容器本体を積み重ねした場合でも容易に取り出しやすい機能と形状を備えた医療廃棄物容器である。
【発明を実施するための最良の形態】
【０００６】  以下、本発明のー実施の形態及び医療廃棄物容器の構成を図１ないし図４を参照して説明する。
図１は、医療廃棄物容器の全体図であり形態については図２から図４で説明する。
図２は、容器の断面図で１は蓋体より形成された中心部の上向き突起部で、２の切り込み部分で、３の容器本体の上面部折り曲げにて形成される、中心部の折り曲げ部による下向突起部と突起部同志が重なり側部４面にロックが掛かり容器本体より蓋が外れにくく、開けにくい構造であり、天面上部の４面の枠体６は容器本体の底面に合わせた外側枠面に紙材を貼り合わせ、容器本体を積み重ねたときに横ずれや落下を防ぐ構造となり、容器本体下面底部の皿部の、のりしろの接合部７は空の容器を積み重ねたときや、空の容器を保管する場合、取り出す時に、抜けやすく取り出しやすいように各角４箇所の突起を示す構造である。
図３の蓋体は、下方斜視より見た蓋体組み立て全体図で４側面に切り込み線２をいれることで突出部１を側面に作る構造で、後ろ側面切り込み８と、横側面切込み口９は専用足踏みスタンドの医療廃棄物容器を使用する際、医療機関などで決められた場所に容器を設置し、切り込み口８を専用のペダルスタンドの足踏み部分に連結されたＵ字体のアームの後ろ部分に噛み合わせ、横側内側面２箇所の切り込み口９はアームの側面の突起部に合わせた蓋体内側部２箇所の切込み口に噛み合わせてＵ字型アーム３箇所を蓋体と固定することで、蓋を開閉する都度手で蓋に触れる必要がなく足踏みペダルで対応出来るので安全で衛生的な構造である。
図４の容器本体は、上方斜視より見た容器本体組み立て全体図で、４側面の上部折り曲げ面３と５を容器本体の外側へ折り曲げて１側面２箇所の折り曲げ部５を、１側面２箇所の切り込み４へ差し込み中心部の差し込まない箇所は加工板紙材の上に戻ろうとする反発で下向きの突起部３ができて、蓋体の上向きの突起部１と蓋を閉めるときパチンと音がして、４面にロックがかかり、容器本体と蓋体が外れにくく、開きにくい構造が形成される。
【産業上の利用可能性】
【０００７】  加工紙板材で容器本体と蓋体の密閉性と蓋が外れにくい構造で医療廃棄物以外の農林業・水産業・造園業・倉庫物流業・製造業で包装・梱包・保管容器に活用できると考えられる。
【図面の簡単な説明】
【０００８】
【図１】本発明の医療廃棄物容器本体と蓋体の全面図です。
【図２】同上医療廃棄物容器の断面図です。
【図３】同上医療廃棄物容器の蓋体を下方から示す斜視図です。
【図４】同上医療廃棄物容器の容器本体を上法から示す斜視図です。
【符号の説明】
【０００９】１  蓋体突出部
２  蓋体内側面切り口部
３  容器本体突出部
４  容器本体上部折り曲げ部組み入れ口
５  容器本体上部折り曲げ部組み入れ片部
６  容器本体蓋体天面部はり合わせ部
７  容器本体下部底側面受け皿角接着部
８  蓋体専用足踏みスタンド後面係合部
９  蓋体専用足踏みスタンド横内側面係合部
【図１】
2010132450.tif 000003
【図２】
2010132450.tif 000004
【図３】
2010132450.tif 000005
【図４】
2010132450.tif 000006